(57)【要約】【課題】簡易な構成で、且つ、取付角度を細かく調整することができるインターホン子機の取付台を提供する。【解決手段】取付台２を、インターホン子機１を装着する角度調整台６と、角度調整台を収容して壁面へ固定する基台５とから成るものとし、角度調整台６を基台５に対して、角度調整台６又は基台５のいずれか一方の端部に設けた回動軸１４を中心に回動可能に、且つ、角度調整台６及び基台５の他方の端部となる側面同士を摺動可能に組み付けた。また、回動させた角度調整台６の基台５に対する傾斜角度を保持すべく、角度調整台６にネジ孔１６を、基台５に複数のネジ嵌入部１２、１２・・を備えてなるネジ止め部１０を夫々設け、ネジ１１を、ネジ嵌入部１２を介してネジ孔１６へ螺入することにより、角度調整台６を基台５に対して適宜傾斜角度で固定可能とした。【選択図】図１
2008113210.tif 000002
【特許請求の範囲】
【請求項１】
来訪者が居住者を呼び出すためのインターホン子機を壁面に取り付ける際に、壁面とインターホン子機の間に介在されるインターホン子機の取付台であって、
インターホン子機を装着する角度調整台と、前記角度調整台を収容して壁面へ固定する基台とから成り、
前記角度調整台を前記基台に対して、前記角度調整台又は前記基台のいずれか一方の端部に設けた回動軸を中心に回動可能に、且つ、前記角度調整台及び前記基台の他方の端部となる側面同士を摺動可能に組み付けるとともに、回動させた前記角度調整台の前記基台に対する傾斜角度を保持する角度固定手段を、前記角度調整台及び／又は前記基台の摺動面或いはその近傍に備えたことを特徴とするインターホン子機の取付台。
【請求項２】
前記角度固定手段が、前記角度調整台に穿設されたネジ孔と、前記基台に前記角度調整台の回動方向へ複数連設されたネジ嵌入部と、前記ネジ孔へ螺入するネジとで構成され、前記ネジ嵌入部を選択することにより、前記角度調整台を適宜傾斜角度で固定可能としたことを特徴とする請求項１記載のインターホン子機の取付台。
【請求項３】
前記角度固定手段が、前記角度調整台又は前記基台の何れか一方に前記角度調整台の回動方向へ段階的に設けた複数の係止突起と、他方に設けられた前記係止突起が係止可能な係止凹部とで構成し、前記係止突起の何れかを前記係止凹部に係止させることで、前記角度調整台を適宜傾斜角度で固定可能としたことを特徴とする請求項１記載のインターホン子機の取付台。
【請求項４】
前記係止突起の形成面に弾性をもたせる一方、前記基台の前記摺動面に前記係止突起と前記係止凹部との係止を解除操作するための押し込み操作を可能とする操作窓を開設したことを特徴とする請求項３記載のインターホン子機の取付台。
【発明の詳細な説明】
【技術分野】
【０００１】
本発明は、たとえばカメラ付きインターホン子機等を玄関の壁面等に取り付けるための取付台に関するものである。
【背景技術】
【０００２】
従来、インターホン子機を壁面等に取り付けるにあたっては、インターホン子機の基台を直接壁面に取り付けるか、該基台を角度調整のための取付台に取り付けて取付台を壁面に取り付けていた。基台を直接壁面に取り付ける場合は、インターホン子機は壁面に直交する方向を向き、取付台を使用した場合は取付台で設定された角度だけ左右に向けられて設置され、設置場所に応じてインターホン子機の視野角度等を調整可能とした。
そして、このような取付台としては、取付角度が所定角度（たとえば、１５度又は３０度）に定められたものや、特許文献１に記載されているように、動力を用いて自在に角度調整を可能としたもの等があった。
【０００３】
【特許文献１】特開２０００−２７０３１６号公報
【発明の開示】
【発明が解決しようとする課題】
【０００４】
しかしながら、取付角度が予め所定角度に定められた取付台では、微調整できないため、ユーザーの要求に応えられない、設置場所によっては所望の角度とすることができない、といった問題がある。また、特許文献１に記載されているような角度調整台では、回転軸球部や球受け部に加え、所望の傾斜角度とするためのモータや各種ギアを設置しているため、部品点数が多くなり、コスト高や設置作業の煩雑化といった問題がある。
【０００５】
そこで、本発明は、上記課題に鑑みなされたものであって、簡易な構成で、且つ、取付角度を細かく調整することができるインターホン子機の取付台を提供しようとするものである。
【課題を解決するための手段】
【０００６】
上記目的を達成するために、本発明のうち請求項１に記載の発明は、来訪者が居住者を呼び出すためのインターホン子機を壁面に取り付ける際に、壁面とインターホン子機の間に介在されるインターホン子機の取付台であって、インターホン子機を装着する角度調整台と、角度調整台を収容して壁面へ固定する基台とから成り、角度調整台を基台に対して、角度調整台又は基台のいずれか一方の端部に設けた回動軸を中心に回動可能に、且つ、角度調整台及び基台の他方の端部となる側面同士を摺動可能に組み付けるとともに、回動させた角度調整台の基台に対する傾斜角度を保持する角度固定手段を、角度調整台及び／又は基台の摺動面或いはその近傍に備えたことを特徴とするものである。
この発明によれば、角度調整台、すなわち該角度調整台に装着されたインターホン子機が所望の姿勢となるように角度調整台の基台に対する傾斜角度を細かく調整することができる上、該微調整可能な取付台を、モータや各種ギア等といった複雑な構成要素を必要としない簡素な構成で実現することができ、コスト高や設置作業の煩雑化等といった問題も生じない。
【０００７】
請求項２に記載の発明は、請求項１に記載の発明において、角度固定手段が、角度調整台に穿設されたネジ孔と、基台に角度調整台の回動方向へ複数連設されたネジ嵌入部と、ネジ孔へ螺入するネジとで構成され、ネジ嵌入部を選択することにより、角度調整台を適宜傾斜角度で固定可能としたことを特徴とするものである。
この発明によれば、ネジ止めするネジ嵌入部を選択するだけで角度調整台の傾斜角度を容易に調整することができるのは勿論のこと、ネジ止め後にネジ止め位置がずれたりするおそれがなく、角度調整台を所望の傾斜角度にて確実に保持することができる。
【０００８】
請求項３に記載の発明は、請求項２に記載の発明において、角度固定手段が、角度調整台又は基台の何れか一方に角度調整台の回動方向へ段階的に設けた複数の係止突起と、他方に設けられた係止突起が係止可能な係止凹部とで構成し、係止突起の何れかを係止凹部に係止させることで、角度調整台を適宜傾斜角度で固定可能としたことを特徴とするものである。
この発明によれば、係止凹部に係止する係止突起を選択するだけで角度調整台の傾斜角度を容易に調整することができる
【０００９】
請求項４に記載の発明は、請求項３に記載の発明において、係止突起の形成面に弾性をもたせる一方、基台の摺動面に係止突起と係止凹部との係止を解除操作するための押し込み操作を可能とする操作窓を開設したことを特徴とするものである。
この発明によれば、何ら工具を用いることなく、係止突起の形成面を撓ませながら角度調整台の傾斜角度の調整を行うことができ、作業性が優れている。さらに、基台の形成面に操作窓を開設しており、該操作窓を介して棒状部材等を差し込むことにより、基台の形成面と係止状態にある角度調整台の形成面を押圧操作することができ、角度調整台の傾斜角度の調整に係る作業性を更に向上することができる。
【発明の効果】
【００１０】
本発明によれば、角度調整台、すなわち該角度調整台に装着されたインターホン子機が所望の姿勢となるように角度調整台の基台に対する傾斜角度を細かく調整することができる上、該微調整可能な取付台を、モータや各種ギア等といった複雑な構成要素を必要としない簡素な構成で実現することができ、コスト高や設置作業の煩雑化等といった問題も生じない。
【発明を実施するための最良の形態】
【００１１】
以下、本発明の一実施形態となるインターホン子機の取付台について、図面にもとづき説明する。
【００１２】
（実施例１）
図１は、インターホン子機１を装着した状態の取付台２を下方から見た斜視図であり、図２は、図１の取付台２の底面図である。また、図３は、インターホン子機１を取り外し、取付台２を分解して示した分解斜視図である。
インターホン子機１は、来訪者が居住者を呼び出す等するためのものであって、周囲を撮像するカメラ３や来訪者等により操作される呼び出しボタン４等が備えられており、取付台２を介して玄関等の壁面に設置される。
【００１３】
取付台２は、図示しないネジ等により壁面に固定される基台５と、該基台５に対して取付角度を調整可能に組み付けられる角度調整台６とからなる。基台５は、壁面へ固定される固定板７と、該固定板７の上下端縁に立設され、左端縁側が中心部となる扇状の扇状板８、８と、固定板７の右端縁に立設され、扇状板８、８の円弧部間に亘って架設された側板９とを備えてなる枠状部材である。各扇状板８の円弧側には、肉厚なネジ止め部（角度固定手段）１０が円弧に沿って形成されており、該ネジ止め部１０には、後述するネジ１１のネジ頭１１ａと略同形状のネジ嵌入部１２、１２・・が段階的に複数凹設されている。また、ネジ止め部１０の略中央には、スリット１３が前方に開口する切り欠き状に設けられており、該スリット１３を介してネジ１１の軸部１１ｂを基台５内へ挿入可能となっている。一方、各扇状板８の左端部（中心部側）には、後述する角度調整台６の回動軸１４を軸支するための軸受部１５が、スリット１３同様、前方に開口する切り欠き状に形成されている。該軸受部１５の開口部は、回動軸１４よりも若干狭くなっており、回動軸１４を圧入することにより、開口部周縁が撓んで回動軸１４が軸受部１５内へ挿入され、回動軸１４を軸支するようになっている。
【００１４】
また、角度調整台６は、上記基台５よりも一回り小さなフレーム状体であって、基台５への組み付け状態においては、基台５内へ嵌入可能となっており、その右側面を基台５の側板９に対して摺動させながら回動する。また、角度調整台６の上面及び下面には夫々上方又は下方へ回動軸１４が突設されているとともに、その右端部であって、回動軸１４を軸受部１５に軸支させた際、基台５のスリット１３に対応する位置には、ネジ１１を螺入可能なネジ孔１６が穿設されている。さらに、角度調整台６の前面側には、インターホン子機１を装着するための子機装着部１７、１７が設けられている。
【００１５】
以上のような構成を有する取付台２の組み立てについて以下説明する。
まず、基台５を図示しないネジ等により壁面の所望位置へ固定する。次に、固定された基台５の軸受部１５へ回動軸１４を圧入して軸支させることにより、角度調整台６を基台５に回動自在に組み付ける。そして、スリット１３を介してネジ孔１６へネジ１１を螺入し、角度調整台６に取り付けられるインターホン子機１が所望の姿勢となるネジ嵌入部１２にてネジ止めすれば、取付台２は組み立て完了となる。ここで、取付台２における角度調整台６の傾斜角度を変更したい場合には、ネジ１１を一旦緩めれば、軸部１１ｂがスリット１３に沿って移動可能となるため、ネジ１１をネジ孔１６へ螺入した状態のまま角度調整台６を回動させ、ネジ止めするネジ嵌入部１２を変更すればよい。
尚、インターホン子機１は、組み立て後の取付台２の角度調整台６へ装着すればよい。また、インターホン子機１の装着後であっても、上記角度調整台６の傾斜角度の変更作業を行うことができる。
【００１６】
上述したようなインターホン子機１の取付台２によれば、インターホン子機１が装着される角度調整台６に回動軸１４を設ける一方、壁面へ固定する基台５に回動軸１４を軸支可能な軸受部１５を設け、ネジ１１により角度調整台６を所望の傾斜角度にて基台５にネジ止め可能としている。したがって、角度調整台６、すなわち該角度調整台６に装着されたインターホン子機１が所望の姿勢となるように角度調整台６の基台５に対する傾斜角度を細かく調整することができる上、該微調整可能な取付台２を簡素な構成で実現することができ、コスト高や設置作業の煩雑化等といった問題も生じない。
【００１７】
また、基台５に、ネジ頭１１ａと略同形状に形成されたネジ嵌入部１２、１２・・が角度調整台６の回動方向へ段階的に複数凹設されてなるネジ止め部１０を設けているため、ネジ止めするネジ嵌入部１２を選択することにより角度調整台６の傾斜角度を容易に調整することができるのは勿論のこと、ネジ止め後にネジ止め位置がずれたりするおそれがなく、角度調整台６を所望の傾斜角度にて確実に保持することができる。
【００１８】
さらに、ネジ止め部１０に軸部１１ｂを挿入可能なスリット１３を角度調整台６の回動方向に沿って設けているため、角度調整台６の取付後にその傾斜角度を変更したい場合、ネジ１１を緩めれば、ネジ１１を角度調整台６のネジ孔１６へ螺入した状態のまま角度調整を実施することができる。すなわち、角度調整するたびにネジ１１を抜き取ったりする必要がなく、作業性に優れている。
加えて、軸受部１５の開口部を回動軸１４よりも若干狭く形成し、回動軸１４を圧入することにより軸支可能としているため、取付作業が容易である上、角度調整台６を基台５へ組み付けた後、不用意に脱落してしまうといった事態が生じない。
【００１９】
（実施例２）
次に、本発明に係る取付台の変更例について図４〜６にもとづき説明する。
図４は、インターホン子機１が装着された状態の取付台２’を下方から見た斜視図であり、図５は、インターホン子機１を取り外し、取付台２’を分解して示した分解斜視図である。また、図６は図４の取付台の透視説明図であり、（ａ）は底面図、（ｂ）はＡ部拡大図である。尚、取付台２’へは、実施例１に記載のものと同様のインターホン子機１を装着することができる。また、実施例１に記載の取付台２と同様の構成要素については、同一の符号を付し、その詳細な説明を省略する。
【００２０】
取付台２’は、図示しないネジ等により壁面に固定される基台５’と、該基台５’に対して取付角度を調整可能に組み付けられる角度調整台６’とからなる。基台５’は、固定板７と、固定板７の上下端縁に立設された扇状の扇状板８’、８’と、固定板７の右端縁に立設され、扇状板８’、８’の円弧部間に亘って架設された側板９’とを備えてなる枠状部材であり、各扇状板８’の左端部には、回動軸１４を軸支可能な軸受部１５が設けられている。また、側板９’の内面側であって、後述する角度調整台６’の組み付け時に、該角度調整台６’に設けられた係止突起１８、１８・・と対応する位置には、係止突起１８、１８・・が係止可能な係止凹部（角度固定手段）１９、１９・・が前後方向に設けられている。さらに、各係止凹部１９と対応する位置には、前後方向へ長いスリット状の操作窓２０が開設されており、該操作窓２０を介して棒状部材を基台５’内へ差し込み可能となっている。
【００２１】
一方、角度調整台６’は、上記基台５’よりも一回り小さなフレーム状体であって、基台５’への組み付け時には、基台５’内へ嵌入可能となっており、その右側面を基台５’の側板９’に対して摺動させながら回動する。また、角度調整台６’の上面及び下面には回動軸１４が突設されているとともに、角度調整台６’の前面側には子機装着部１７、１７が設けられている。さらに、角度調整台６’の右側面上部及び下部には、複数の係止突起１８、１８・・を前後方向、すなわち角度調整台６’の回動方向に沿って突設してなる係止部（角度固定手段）２１、２１が夫々設けられている。各係止部２１の上下両側には、一対のスリット２２、２２が開設されており、係止部２１を、角度調整台６’内側方向へ押圧することにより、若干撓ませることができるようになっている。
【００２２】
以上のような構成を有する取付台２’の組み立てについて以下説明する。
まず、基台５’を壁面の所望位置へ固定し、該固定された基台５’へ角度調整台６’を回動自在に組み付ける。そして、角度調整台６に取り付けられるインターホン子機１が所望の姿勢となるように係止突起１８、１８・・を係止凹部１９、１９・・へ係止することにより、取付台２’は組み立て完了となる。ここで、角度調整台６’の基台５’に対する傾斜角度を調整したい場合には、係止突起１８、１８・・の係止凹部１９、１９・・への係止位置を調整すればよい。そして、該係止位置の調整にあたっては、各係止部２１を直接角度調整台６’内側方向へ押圧する又は操作窓２０を介して棒状部材（図示せず）を差し込み、該棒状部材にて各係止部２１を押圧して、各係止部２１を角度調整台６’内側方向へ若干撓ませながら行う。
【００２３】
上述したような取付台２’によれば、基台５’及び角度調整台６’に軸受部１５又は回動軸１４を夫々設けるとともに、角度調整台６’に、回動方向に沿って複数の係止突起１８、１８・・を突設してなる係止部２１、２１を、基台５’に係止突起１８、１８・・が係止可能な係止凹部１９、１９・・を設けており、係止突起１８、１８・・の係止凹部１９、１９・・への係止位置を調整することにより、角度調整台６’を所望の傾斜角度にて基台５’に固定可能としている。したがって、角度調整台６’、すなわち該角度調整台６’に装着されたインターホン子機１が所望の姿勢となるように角度調整台６’の基台５’に対する傾斜角度を細かく調整することができる上、該微調整可能な取付台２’を簡素な構成で実現することができ、コスト高や設置作業の煩雑化等といった問題も生じない。
【００２４】
また、角度調整台６’の各係止部２１の上下両側に一対のスリット２２、２２を開設しているため、角度調整台６’の傾斜角度を調整する場合には、各係止部２１を押圧操作して係止部２１を撓ませることにより行うことができる。したがって、何ら工具を用いることなく、角度調整台６’の基台５’への組み付け及び傾斜角度の調整を行うことができ、作業性が優れている。
さらに、基台５’の係止凹部１９、１９・・と対応する位置に操作窓２０、２０を開設しており、該操作窓２０を介して棒状部材を差し込むことにより、基台５’内面側で係止状態にある係止部２１を押圧操作可能となっている。したがって、角度調整台６’の傾斜角度の調整に係る作業性を更に向上することができる。
【００２５】
なお、本発明に係るインターホン子機の取付台に係る構成は、上記実施形態に記載の態様に何ら限定されるものではなく、基台、角度調整台、及び傾斜角度の調整に係る構造部等の構成を、本発明の趣旨を逸脱しない範囲で、必要に応じて適宜変更することができる。
【００２６】
たとえば、上記実施形態では、角度調整台に回動軸を、基台に軸受部を夫々設けて、角度調整台を基台に対して回動自在に組み付け可能としているが、その構成に何ら限定されることはなく、基台に回動軸を、角度調整台に軸受部を設けるようにしてもよい。また、軸受部の構成も、上記実施形態に記載の構成に限定されることはなく、ただの丸孔として、回動軸側を撓ませることにより、丸孔に回動軸を挿通させて軸支させるような構成とする等、基台に対して角度調整台が回動自在となるのであれば適宜変更可能である。
【００２７】
また、角度調整台の回動方向や回動軸方向も適宜変更可能であって、基台の右側を軸として回動させるようにしてもよいし、上記実施形態に記載のように上下方向を回動軸方向とするのではなく、左右方向を回動軸方向として、角度調整台を上下方向に回動させるようにすることも当然可能である。
【００２８】
加えて、ネジ止め部や係止凹部、係止部等といった角度固定手段の設置位置や設置数等も適宜変更可能であるし、実施例１の構成と実施例２の構成との両者を具備することも可能である。
【図面の簡単な説明】
【００２９】
【図１】本発明に係るインターホン子機の取付台の一例を示し、インターホン子機が装着された状態の取付台を下方から見た斜視図である。
【図２】図１の取付台の下面図である。
【図３】図１のインターホン子機を分離し、取付台を分解して示した分解斜視図である。
【図４】本発明に係るインターホン子機の取付台の他の例を示し、インターホン子機が装着された状態の取付台を下方から見た斜視図である。
【図５】図４のインターホン子機を分離し、取付台を分解して示した分解斜視図である。
【図６】図４の取付台の透視説明図であり、（ａ）は底面図、（ｂ）はＡ部拡大図である。
【符号の説明】
【００３０】
１・・インターホン子機、２、２’・・取付台、５、５’・・基台、６、６’・・角度調整台、７・・固定板、８、８’・・扇状板、９、９’・・側板、１０・・ネジ止め部、１１・・ネジ、１１ａ・・ネジ頭、１１ｂ・・軸部、１２・・ネジ嵌入部、１３・・スリット、１４・・回動軸、１５・・軸受部、１６・・ネジ孔、１８・・係止突起、１９・・係止凹部、２０・・操作窓、２１・・係止部、２２・・スリット。
【図１】
2008113210.tif 000003
【図２】
2008113210.tif 000004
【図３】
2008113210.tif 000005
【図４】
2008113210.tif 000006
【図５】
2008113210.tif 000007
【図６】
2008113210.tif 000008